(57)【特許請求の範囲】
【請求項１】
貯蔵物を冷蔵保存する冷蔵室と、左右の一端で枢支されて前記冷蔵室の前面を開閉するとともに背面に貯蔵物を収納するドアポケットを設けた扉と、前記冷蔵室を上下に仕切る仕切板と、前記仕切板と前記冷蔵室の底壁との間に形成して第１収納容器を配した第１隔離室と、前記仕切板上に形成して第２収納容器を配した第２隔離室と、第２隔離室及び第２隔離室よりも上方に臨む冷気の吐出口とを備え、第２隔離室よりも上方の領域に対して第１隔離室が高温で第２隔離室が低温に維持される冷蔵庫において、第２隔離室に冷気の流出口を設けて前記仕切板と第２収納容器との間に通気路を形成するとともに、前記扉を閉じた際に前記扉と前記仕切板との間が前記ドアポケットによって遮蔽され、前記ドアポケットと第２収納容器との間を降下する冷気が前記通気路を通って前記流出口から流出することを特徴とする冷蔵庫。
【請求項２】
前記ドアポケットと前記仕切板との間又は前記扉と前記仕切板との間にシール部材を設けたことを特徴とする請求項１に記載の冷蔵庫。
【請求項３】
前記扉の背面側から突出して後方が下がる傾斜面を上面に有したガイド部を設け、前記扉を閉じた際に前記ガイド部が前記仕切板に近接して前記通気路に冷気を導くことを特徴とする請求項１又は請求項２に記載の冷蔵庫。
【請求項４】
第１収納容器が前面に開口部を有するとともに、前記扉を閉じた際に前記開口部を遮蔽する蓋部を前記扉の背面側に設けたことを特徴とする請求項１〜請求項３のいずれかに記載の冷蔵庫。
【発明の詳細な説明】
【技術分野】
【０００１】
本発明は、冷蔵室の下部に温度の異なる複数の隔離室を配した冷蔵庫に関する。
【背景技術】
【０００２】
従来の冷蔵庫は特許文献１に開示される。この冷蔵庫は上部に冷蔵室が配され、冷蔵室の下方に野菜室が配されている。冷蔵室と野菜室とは前端部に橋架される当接部と当接部の後方に配される仕切板により区画されている。仕切板は冷蔵庫を循環する冷気により冷却され、仕切板の輻射冷却によって野菜室が冷却されている。また、仕切板により冷蔵庫内の冷気が野菜室に流入するのを遮断して野菜室内の乾燥を防止している。
【０００３】
冷蔵室及び野菜室は断熱扉により夫々独立して開閉される。冷蔵室は左右の一端で枢支されて回動可能な冷蔵室扉により開閉され、野菜室は収納容器を一体に引出す引き出し式の野菜室扉により開閉される。
【０００４】
冷蔵室と野菜室の各扉を閉じた状態において、冷蔵室扉の背面下部及び野菜室扉の背面上部が当接部に当接する。これにより、冷蔵室及び野菜室が密閉される。このとき、当接部は上下に隣接する冷蔵室扉と野菜室扉との間に隙間が形成される程度に上下幅が大きく形成されている。
【先行技術文献】
【特許文献】
【０００５】
【特許文献１】特開２００４−３４０４４９号公報
【発明の概要】
【発明が解決しようとする課題】
【０００６】
しかしながら、上記従来の冷蔵庫によると、当接部の後方にデッドスペースが形成され、野菜室内の有効領域が狭くなるため利便性が悪くなる問題があった。また、冷蔵室内に野菜室を設けて当接部を取り除いた場合、野菜室の上方を仕切る仕切板の前端を冷蔵室扉の近傍に設けて冷気が野菜室に流入するのを遮断する必要がある。このとき、野菜室の前部が仕切板によって覆われ、野菜室の収納容器を引き出した際に収納物の視認性が悪くなり、利便性が悪くなる問題もあった。
【０００７】
本発明は、利便性を向上できる冷蔵庫を提供することを目的とする。
【課題を解決するための手段】
【０００８】
上記目的を達成するために本発明の冷蔵庫は、貯蔵物を冷蔵保存する冷蔵室と、左右の一端で枢支されて前記冷蔵室の前面を開閉するとともに背面に貯蔵物を収納するドアポケットを設けた扉と、前記冷蔵室を上下に仕切る仕切板と、前記仕切板と前記冷蔵室の底壁との間に形成して第１収納容器を配した第１隔離室と、前記仕切板上に形成して第２収納容器を配した第２隔離室と、第２隔離室及び第２隔離室よりも上方に臨む冷気の吐出口とを備え、第２隔離室よりも上方の領域に対して第１隔離室が高温で第２隔離室が低温に維持される冷蔵庫において、第２隔離室に冷気の流出口を設けて前記仕切板と第２収納容器との間に通気路を形成するとともに、前記扉を閉じた際に前記扉と前記仕切板との間が前記ドアポケットによって遮蔽され、前記ドアポケットと第２収納容器との間を降下する冷気が前記通気路を通って前記流出口から流出することを特徴としている。
【０００９】
また、本発明は上記構成の冷蔵庫において、前記ドアポケットと前記仕切板との間又は前記扉と前記仕切板との間にシール部材を設けることが好ましい。
【００１０】
また、本発明は上記構成の冷蔵庫において、前記扉の背面側から突出して後方が下がる傾斜面を上面に有したガイド部を設け、前記扉を閉じた際に前記ガイド部が前記仕切板に近接して前記通気路に冷気を導くことが好ましい。
【００１１】
また、本発明は上記構成の冷蔵庫において、第１収納容器が前面に開口部を有するとともに、前記扉を閉じた際に前記開口部を遮蔽する蓋部を前記扉の背面側に設けたことが好ましい。
【００１２】
また、本発明は上記構成の冷蔵庫において、第２隔離室の背壁と第２収納容器との隙間を遮蔽して前記通気路の上壁を形成する遮蔽部を設けたことが好ましい。
【００１３】
また、上記目的を達成するために本発明の冷蔵庫は、貯蔵物を冷蔵保存する冷蔵室と、左右の一端で枢支されて前記冷蔵室の前面を開閉するとともに背面に貯蔵物を収納するドアポケットを設けた扉と、前記冷蔵室を上下に仕切る仕切板と、前記仕切板と前記冷蔵室の底壁との間に形成して第１収納容器を配した第１隔離室と、前記仕切板上に形成して第２収納容器を配した第２隔離室と、第２隔離室及び第２隔離室よりも上方に臨む冷気の吐出口とを備え、第２隔離室よりも上方の領域に対して第１隔離室が高温で第２隔離室が低温に維持される冷蔵庫において、前記仕切壁よりも下方に冷気の流出口を設けて前記冷蔵室の底壁と第１収納容器との間に通気路を形成し、前記ドアポケットと第１収納容器との間を降下する冷気が前記通気路を通って前記流出口から流出することを特徴としている。
【００１４】
また、本発明は上記構成の冷蔵庫において、前記通気路の上壁を形成する上面板を設け、前記上面板上に第１収納容器が配されることが好ましい。
【００１５】
また、本発明は上記構成の冷蔵庫において、前記仕切板よりも下方に設置される製氷用の貯水タンクを備え、前記流出口を前記貯水タンクの周辺に配置したことが好ましい。
【００１６】
また、本発明の冷蔵庫は、複数の仕切板を上下に配して貯蔵物を冷蔵保存する冷蔵室と、左右の一端で枢支されて前記冷蔵室の前面を開閉する扉と、前記冷蔵室の底壁上に配して前後にスライドする収納容器とを備えた冷蔵庫において、前記扉の背面に設けられて前記扉が閉じた際に前記収納容器に係合する係合部を有し、前記扉を開いた際に前記係合部の係合によって前記収納容器が前進し、前記収納容器が所定量引き出された際に前記係合部の係合が解除されることを特徴としている。
【００１７】
また、本発明は上記構成の冷蔵庫において、前記ケースが前方に向かうに従って上方に案内されて前記係合部との係合が解除されることが好ましい。
【００１８】
また、本発明は上記構成の冷蔵庫において、前記扉を開く際に把持される把持部と、一端を前記係合部に連結して前記把持部上に配される押圧部とを備え、前記押圧部とともに前記把持部を把持した際に前記係合部が前記ケースに係合することが好ましい。
【００１９】
また、本発明の冷蔵庫は、複数の仕切板を上下に配して貯蔵物を冷蔵保存する冷蔵室と、前記仕切板上に配して前後にスライドする収納容器と、冷気を生成する冷却器と、前記冷却器で生成した冷気が流通するとともに前記冷蔵室に冷気を吐出する吐出口を有する冷気通路とを備えた冷蔵庫において、前記冷気通路の前壁の一部が前記収納容器の背壁により形成されていることを特徴としている。
【００２０】
また、本発明は上記構成の冷蔵庫において、前記吐出口が前記収納容器の背壁上端と前記仕切板との間に形成される隙間から成ることが好ましい。
【発明の効果】
【００２１】
本発明によると、第１隔離室と第２隔離室との間の仕切板の前端が扉の背面から離れて配置され、扉を閉じた際に扉と仕切板との間がドアポケットにより遮蔽される。このため、第１隔離室から引き出された第１収納容器内の貯蔵物の視認性が向上し、冷蔵庫の利便性を向上させることができる。また、第２隔離室の上方の領域を流通した冷気が仕切板と第２収納容器との間の通気路を流通するため、第２隔離室に隣接した第１隔離室の過冷却を防止することができる。
【００２２】
また本発明によると、ドアポケットと第１収納容器との間を降下する冷気が冷蔵室の底壁と第１収納容器との間の通気路を流通する。このため、第１隔離室と第２隔離室との間の仕切板の前端が扉の背面から離れて配置される。これにより、第１隔離室から引き出された第１収納容器内の貯蔵物の視認性が向上し、冷蔵庫の利便性を向上させることができる。また、第２隔離室の上方の領域を流通した冷気が第１収納容器の下方の通気路を流通するため、第２隔離室に隣接した第１隔離室の過冷却を防止することができる。
【図面の簡単な説明】
【００２３】
【図１】本発明の第１実施形態の冷蔵庫の正面図。
【図２】本発明の第１実施形態の冷蔵庫の側面断面図。
【図３】本発明の第１実施形態の冷蔵庫の側面断面図。
【図４】本発明の第１実施形態の冷蔵庫の変形例を示す側面断面図。
【図５】本発明の第２実施形態の冷蔵庫の正面図。
【図６】本発明の第２実施形態の冷蔵庫の側面断面図。
【図７】本発明の第２実施形態の冷蔵庫の側面断面図。
【図８】本発明の第３実施形態の冷蔵庫の側面断面図。
【図９】本発明の第４実施形態の冷蔵庫の正面図。
【図１０】本発明の第５実施形態の冷蔵庫の側面断面図。
【図１１】本発明の第６実施形態の冷蔵庫の野菜室の前面側の一部を拡大して示す側面断面図。
【図１２】本発明の第６実施形態の冷蔵庫の野菜室の前面側の一部を拡大して示す側面断面図。
【図１３】本発明の第７実施形態の冷蔵庫の野菜室の前面側の一部を拡大して示す側面断面図。
【発明を実施するための形態】
【００２４】
＜第１実施形態＞
以下に本発明の実施形態を図面を参照して説明する。図１は第１実施形態の冷蔵庫１の正面図であり、図２、図３は冷蔵庫１の側面断面図である。なお、図２は後述する冷気通路３１、３２を通る断面を示し、図３は後述する戻り通路３４を通る断面を示している。冷蔵庫１は断熱材を充填した断熱箱体１１を備え、断熱箱体１１の上段に冷蔵室２、中段に製氷室３ａ及び第１冷凍室３ｂ、下段に第２冷凍室４が配される。製氷室３ａと第１冷凍室３ｂは左右に並設して配される。製氷室３ａ、第１冷凍室３ｂ及び第２冷凍室４は夫々内部で連通している。
【００２５】
冷蔵室２、製氷室３ａ、第１冷凍室３ｂ及び第２冷凍室４は断熱扉により夫々独立して開閉される。冷蔵室２は左右の一端で枢支されて回動可能な扉１２により開閉される。扉１２の背面にはドアポケット５１ａ〜５１ｄが設けられている。ドアポケット５１ａ〜５１ｄにはペットボトル等を収納することができる。第１冷凍室３ｂ、第２冷凍室４は引き出し式の扉１３ａ、１４がそれぞれ設けられ、内部に複数の収納容器が配される。また、製氷室３ａにも引き出し式の扉（不図示）が設けられ、内部に製氷皿３５が配されている。
【００２６】
冷蔵室２の背壁２ｂは樹脂から成り、背壁２ｂと断熱箱体１１との間に冷気通路３２及び戻り通路３４が夫々独立して形成されている。冷気通路３２には吐出口２５ａ〜２５ｅが形成され、戻り通路３２には流出口２６が形成されている。冷気通路３２から吐出口２５ａ〜２５ｅを介して吐出された冷気は冷蔵室２を循環して流出口２６から戻り通路３４に流入する。
【００２７】
製氷室３ａ、第１冷凍室３ｂ及び第２冷凍室４の背壁４ｂは樹脂から成り、背壁４ｂと断熱箱体１１との間に冷気通路３１が形成され、冷気通路３１には吐出口２５ｆ〜２５ｉと流出口２８が形成されている。製氷室３ａ、第１冷凍室３ｂ及び第２冷凍室４は冷気通路３１を介して連通している。
【００２８】
冷気通路３１、３２はダンパ３３を介して連通している。ダンパ３３の開閉量によって冷気通路３１から冷気通路３２に流入する風量が調整される。
【００２９】
冷気通路３１内には圧縮機（不図示）に接続された冷却器４１が配される。圧縮機の駆動により冷媒が循環して冷凍サイクルが運転される。また、戻り通路３４は冷却器４１に連通している。なお、冷却器４１の下部には除霜ヒータ４５が設けられている。除霜ヒータ４５は冷却器４１の除霜運転を行う。
【００３０】
冷気通路３１内には送風機４２が配される。冷却器４１で生成された冷気は送風機４２の駆動により冷気通路３１を介して吐出口２５ｇ〜２５ｉから製氷室３ａ、第１冷凍室３ｂ、第２冷凍室４に吐出される。製氷室３ａ、第１冷凍室３ｂ、第２冷凍室４に吐出された冷気は第２冷凍室４の底部に設けられた流出口２８を介して冷却器４１に戻る。これにより、製氷室３ａ、第１冷凍室３ｂ、第２冷凍室４が氷点よりも低温に維持される。
【００３１】
冷気通路３１から冷気通路３２に流入した冷気は送風機４３の駆動により吐出口２５ａ〜２５ｅから冷蔵室２に吐出される。冷蔵室２に吐出された冷気により冷蔵室２内が冷却され、冷蔵室２内が氷点よりも高温に維持される。冷蔵室２を流通した冷気は流出口２６から流出する。このとき、冷蔵室２の底壁２ａ上に形成される隔離室から成る野菜室２１には冷気が流入しない。これにより、野菜室２１は冷蔵室２よりも高温で野菜の貯蔵に適した温度（例えば約５℃）に維持される。
【００３２】
冷蔵室２内は樹脂成形された仕切板２３ａ〜２３ｅが複数上下に配されている。冷蔵室２の底壁２ａと仕切板２３ｅとの間に野菜室（第１隔離室）２１が形成されている。また、仕切板２３ｅ、２３ｄの間にはチルド室（第２隔離室）２２が形成されている。野菜室２１とチルド室２２の内部には貯蔵物を収納する第１、第２収納容器１２１、１２２が夫々配されている。第１収納容器１２１によって野菜室２１が冷蔵室２内に隔離して形成され、第２収納容器１２２によってチルド室２２が冷蔵室２内に隔離して形成される。また、チルド室２２の側方には製氷皿３５に給水する給水タンク２４が配されている。
【００３３】
吐出口２５ｅ及び流出口２６はチルド室２２に臨んで配されており、流出口２６が吐出口２５ｅの下方に配されている。吐出口２５ｅは吐出口２５ａ〜２５ｄより上流に配されており、吐出口２５ｅからは吐出口２５ａ〜２５ｄよりも低い温度の冷気が吐出される。これにより、チルド室２２がチルド室２２の上方の領域よりも低温（約０℃）に維持される。
【００３４】
第２収納容器１２２の底面にはリブ（不図示）が設けられ、第２収納容器１２２は仕切板２３ｅ上に載置されている。これにより、仕切板２３ｅと第２収納容器１２２との間に通気路２７が形成されている。通気路２７は流出口２６に連通する。
【００３５】
チルド室２２の背壁２２ａと第２収納容器１２２の背壁１２２ａとの隙間には背壁２２ａから突出する遮蔽部５４が設けられている。遮蔽部５４はチルド室２２の背壁２２ａと第２収納容器１２２の背壁１２２ａとの隙間を遮蔽して通気路２７の上壁の一部を形成する。これにより、通気路２７から流出口２６へ冷気を円滑に流通させることができる。なお、遮蔽部５４を第２収納容器１２２の背壁１２２ａから突出させてもよい。
【００３６】
チルド室２２の前方に配されるドアポケット５１ｄには背面から突出するガイド部５２が設けられている。ガイド部５２は後方が下がる傾斜面を上面に有する。ガイド部５２は扉１２を閉じた状態において仕切板２３ｅに近接して冷気を円滑に通気路２７に導くことができる。
【００３７】
また、扉１２を閉じた状態において、ドアポケット５１ｄは扉１２と仕切板２３ｅとの間を遮蔽する。また、仕切板２３ｅの前端部にはシール部材５３が設けられており、シール部材５３によってドアポケット５１と仕切板２３ｅとの間がより密に遮断されている。これにより、冷蔵室２を循環する冷気が野菜室２１内に流入するのを防止して野菜室２１内の乾燥を防止することができる。
【００３８】
なお、仕切板２３ｅの前端は扉１２の背面から離れて形成されている。このため、野菜室２１から引き出された第１収納容器１２１内の貯蔵物の視認性が向上し、冷蔵庫１の利便性を向上させることができる。
【００３９】
また、第１収納容器１２１の前面に開口部１２１ｂを形成している。扉１２の背面側には扉１２を閉じた際に開口部１２１ｂを遮蔽する蓋部５５が設けられている。これにより、第１収納容器１２１が密閉され、内部の乾燥を防止することができる。また、扉１２を開成した際に蓋部５５が外れて開口部２１が開放される。これにより、開口部２１ｂから貯蔵物を容易に取り出すことができ、冷蔵庫１の利便性を向上させることができる。
【００４０】
吐出口２５ｅからチルド室２２に吐出された冷気は第２収納容器１２２の背壁１２２ａ上端と仕切板２３ｄとの隙間から第２収納容器１２２内に流入する。第２収納容器１２２内に流入した冷気は第２収納容器１２２の前壁１２２ｂ上端と仕切板２３ｄとの隙間から第２収納容器の外部に流出する。
【００４１】
吐出口２５ａ〜２５ｄから冷蔵室２に吐出された冷気は扉１２及びドアポケット５１ａ〜５１ｃの背面に沿って下方に流通し、チルド室２２から流出した冷気と合流する。合流した冷気はドアポケット５１ｄの背面及びガイド部５２に沿って通気路２７へ流入する。通気路２７へ流入した冷気は流出口２６から戻り通路３４に流入する。
【００４２】
このとき、通気路２７には冷蔵室２内を流通して温度が上昇した冷気が導かれる。これにより、野菜室２１内は隣接するチルド室２２による過冷却が防止され、チルド室２２の上方の領域よりも高温に維持される。
【００４３】
戻り通路３４に流入した冷気は冷却器４１に戻る。これにより、冷蔵室２、チルド室２２及び野菜室２１内が冷却される。
【００４４】
本実施形態によると、冷蔵室２１とチルド室２２との間の仕切板２３ｅの前端が扉１２の背面から離れて配置され、扉１２を閉じた際に扉１２と仕切板２３ｅとの間がドアポケット５１ｄにより遮蔽される。このため、冷蔵室２１から引き出された第１収納容器１２１内の貯蔵物の視認性が向上し、冷蔵庫１の利便性を向上させることができる。また、チルド室２２の上方の領域を流通した冷気が仕切板２３ｅと第２収納容器１２２との間の通気路２７を流通するため、チルド室２２に隣接した野菜室２１の過冷却を防止することができる。
【００４５】
また、ドアポケット５１ｄと仕切板２３ｅとの間にはシール部材５３が設けられており、冷蔵室２を循環する冷気が野菜室２１内に流入するのを防止して野菜室２１内の乾燥を防止することができる。
【００４６】
また、扉１２の背面側から突出して後方が下がる傾斜面を上面に有したガイド部５２を設けることにより、扉１２の背面に沿って下方に流通する冷気を円滑に通気路２７に導くことができる。
【００４７】
また、扉１２の背面側に設けた蓋部５５が第１収納容器１２１の前面に形成された開口部１２１ｂを遮蔽する。これにより、第１収納容器１２１内部の乾燥を防止することができる。また、扉１２を開成した際に蓋部５５が外れて開口部２１が開放される。これにより、開口部２１ｂから貯蔵物を容易に取り出すことができ、冷蔵庫１の利便性を向上させることができる。
【００４８】
また、チルド室２２の背壁２２ａと第２収納容器１２２の背壁１２２ａとの間を遮蔽部５４で遮蔽して通気路２７の上壁の一部を形成することにより、通気路２７から流出口２６へ冷気を円滑に流通させることができる。
【００４９】
なお、図４は第１実施形態に係る冷蔵庫１の変形例を示す側面断面図であり、シール部材５３を扉１２の背面から突出させて扉１２と仕切板２３ｅとの間を遮蔽してもよい。
【００５０】
＜第２実施形態＞
図５は第２実施形態の冷蔵庫１の正面図であり、図６、図７は冷蔵庫１の側面断面図である。なお、図６は冷気通路３１、３２を通る断面を示し、図７は戻り通路３４を通る断面を示している。第１実施形態と同様の部分には同一符号を付して説明を省略する。第１実施形態に対して第２実施形態は仕切板２３ｅよりも下方に冷気の流出口２６を設け、冷蔵室２の底壁２ａと第１収納容器１２１との間に通気路２７を形成した。また、ガイド部５２、シール部材５３、遮蔽部５４、蓋部５５（いずれも図２参照）が省かれている。
【００５１】
第１収納容器１２１の底面にはリブ（不図示）が設けられ、第１収納容器１２１は冷蔵室２の底壁２ａ上に載置されている。これにより、底壁２ａと第１収納容器１２１との間に通気路２７が形成されている。通気路２７は流出口２６に連通している。また、扉１２の背面にドアポケット５１ｅが設けられ、ドアポケット５１ｅの背面と第１収納容器１２１の前面との間に通気路が形成されている。
【００５２】
吐出口２５ａ〜２５ｅから冷蔵室２に吐出された冷気は扉１２及びドアポケット５１ａ〜５１ｅの背面に沿って下方に流通して冷蔵室２の底壁２ａから通気路２７へ流入する。通気路２７へ流入した冷気は流出口２６から戻り通路３４に流入する。このとき、通気路２７を流通する冷気は冷蔵室２内を流通して温度が上昇した冷気が導かれる。
【００５３】
このとき、通気路２７には冷蔵室２内を流通して温度が上昇した冷気が導かれる。これにより、野菜室２１内は隣接するチルド室２２による過冷却が防止され、チルド室２２の上方の領域よりも高温に維持される。
【００５４】
また、扉１２を閉じた際に扉１２のドアポケット５１ｅと仕切板２３ｅとの間には冷気が流通する通気路が形成され、仕切板２３ｅの前端が扉１２の背面から離れて配置される。これにより、野菜室２１から引き出された第１収納容器内１２１の貯蔵物の視認性が向上し、冷蔵庫１の利便性を向上させることができる。
【００５５】
＜第３実施形態＞
図８は第３実施形態の冷蔵庫１の側面断面図である。なお、第２実施形態と同様の部分には同一符号を付して説明を省略する。第２実施形態に対して第３実施形態は通気路２７の上壁を形成する上面板５６を設け、上面板５６上に第１収納容器１２１が配される。これにより、通気路２７が上面板５６と冷蔵室２の底壁２ａとの間に形成される。このとき、通気路２７から流出口２６へ冷気を円滑に流通させることができる。
【００５６】
＜第４実施形態＞
図９は第４実施形態の冷蔵庫１の正面図である。なお、第２実施形態と同様の部分には同一符号を付して説明を省略する。第２実施形態に対して第４実施形態は貯水タンク２４の配置が異なる。
【００５７】
貯水タンク２４は仕切板２３ｅよりも下方に設置され、野菜室２１に隣接して配されている。また、流出口２６を貯水タンク２４の周辺に配置し、製氷室３ａを貯水タンク２４の下方に配した。
【００５８】
これにより、冷蔵室２内を流通して温度が上昇した冷気が貯水タンク２４の周辺を流通して流出口２６に流入する。このため、貯水タンク２４内の水がチルド室２２内の冷気によって凍結するのを防止することができる。
【００５９】
なお、第１実施形態の冷蔵庫１において、流出口２６を貯水タンク２４の周辺に配置しても貯水タンク２４内の水がチルド室２２内の冷気によって凍結するのを防止することができる。
【００６０】
＜第５実施形態＞
図１０は第５実施形態の冷蔵庫１を示す側面断面図である。なお、第２実施形態と同様の部分には同一符号を付して説明を省略する。第２実施形態に対して第５実施形態は第２収納容器１２２の背壁１２２ａによって冷気通路３２の前壁の一部を形成している。また、第２収納容器１２２の背壁１２２ａ上端と仕切板２３ｄとの隙間により吐出口２５ｅを形成している。
【００６１】
第２収納容器１２２の背壁１２２ａが冷気通路３２を流通する冷気により直接冷却され、チルド室２２内の冷却効率を向上させることができる。なお、仕切板２３ｂ〜２３ｄ上に収納容器を載置し、これらの収納容器の背壁によって冷気通路３２の前壁の一部を形成してもよい。また、これらの収納容器の背壁上端と仕切板２３ｂ〜２３ｄとの隙間により吐出口２５ｂ〜２５ｄを形成してもよい。
【００６２】
＜第６実施形態＞
図１１、図１２は第６実施形態の冷蔵庫１の野菜室２１の前面側の一部を拡大して示す側面断面図である。図１１は扉１２を閉じた状態を示し、図１２は扉１２を開いた状態を示している。なお、第２実施形態と同様の部分には同一符号を付して説明を省略する。第２実施形態に対して第６実施形態は扉１２の背面に設けられたドアポケット５１ｅから後方に突出する係合部６３が設けられている。係合部６３の後端は上方に突出している。また、第１収納容器１２１の底面には凹部１２１ｃが設けられている。扉１２を閉じた状態において係合部６３の後端が凹部１２１ｃに係合している。なお、第１収納容器１２１の底面から下方に突出する凸部を設けるとともに係合部６３に凹部を設け、凸部と係合部に設けた凹部によって第１収納容器１２１と係合部６３とを係合してもよい。
【００６３】
また、野菜室２１の底壁２ａ上には案内部６４が設けられている。案内部６４の上面には前方に向かって上方に延びる傾斜面が形成されている。
【００６４】
扉１２を開いた際に、係合部６３の係合によって第１収納容器２１が前進する。傾斜面を摺動する第１収納容器１２１は前方に向かうに従って上方に引出される。このとき、係合部６３は水平方向に移動する。このため、係合部６３と第１収納容器１２１との係合が解除される。したがって、扉１２を開成する動作と第１収納容器１２１を引き出す動作とを一体的に連続して行うことができる。従って、冷蔵庫１の利便性を向上させることができる。
【００６５】
なお、第１収納容器１２１を引き出した状態で扉１２を閉じた場合、ドアポケット１２の背面が第１収納容器１２１の前面を押圧して第１収納容器１２１を野菜室２１の後方に押し戻す。押し戻された第１収納容器１２１は後方に向かうに従って下方に押し戻される。これにより、扉１２を閉成したときに、凹部１２１ｃと係合部６３とが係合する。なお、第１収納容器１２１の底面に凹部１２１ｃの後方に下方に突出するリブを設け、係合部６３でリブを押圧して第１収納容器１２１を野菜室２１の後方に押し戻してもよい。
【００６６】
＜第７実施形態＞
図１３は第７実施形態の冷蔵庫１の野菜室の前面側の一部を拡大して示す側面断面図である。なお、第６実施形態と同様の部分には同一符号を付して説明を省略する。第６実施形態に対して第７実施形態は扉１２の前面に把持部１２ａが設けられており、把持部１２ａ上に押圧部６１が配されている。押圧部６１は連結部６２を介して係合部６３に連結している。連結部６２は回動自在に支持部６２ａで支持されており、押圧部６１を押圧すると連結部６２が係合部６３の前端を上方に押し上げる。なお、一点鎖線で示すように押圧部６１を押圧していない状態において係合部６３の後端は下方に下がっている。
【００６７】
冷蔵庫扉１２を閉じた状態において押圧部６１を押圧することにより、係合部６３が凹部１２１ｃに係合する。これにより、押圧部６１とともに把持部１２ａを把持して扉１２を開いた場合、扉１２を開成する動作と第１収納容器１２１を引き出す動作とを一体的に連続して行うことができる。従って、冷蔵庫１の利便性を向上させることができる。
【００６８】
なお、押圧部６１を押圧せずに扉１２を開閉した場合、係合部６３と凹部１２１ｃは係合していないため、第１収納容器１２１は引き出されない。
【符号の説明】
【００６９】
１              冷蔵庫
２              冷蔵室
３ａ            製氷室
４              第２冷凍室
２１            野菜室
２２            チルド室
２３ａ〜２３ｅ  仕切板
２４            給水タンク
２５ａ〜２５ｉ  吐出口
２６            流出口
２７            通気路
３１、３２      冷気通路
３３            ダンパ
３４            戻り通路
４１            冷却器
４２、４３      送風機
４５            除霜ヒータ
５１ａ〜５１ｅ  ドアポケット
５２            ガイド部
５３            シール部材
５４            遮蔽部
６１            押圧部
６２            連結部
６３            係合部
１２１、１２２  第１、第２収納容器
１２１ｃ        凹部
【図１】
0006466742.tif 000002
【図２】
0006466742.tif 000003
【図３】
0006466742.tif 000004
【図４】
0006466742.tif 000005
【図５】
0006466742.tif 000006
【図６】
0006466742.tif 000007
【図７】
0006466742.tif 000008
【図８】
0006466742.tif 000009
【図９】
0006466742.tif 000010
【図１０】
0006466742.tif 000011
【図１１】
0006466742.tif 000012
【図１２】
0006466742.tif 000013
【図１３】
0006466742.tif 000014